(57)【特許請求の範囲】
【請求項１】
単一の支持体上に支持される複数のダイヤモンドを有し、前記支持体上の全てのダイヤモンドは特定の物理的配置にあしらわれストロング以上の青色蛍光性を有し、可視光の下では透明な輝きを放ち、ブラックライトに照らされて前記物理的配置と一致する配置で青色蛍光を示すことで、ストロング以上の青色蛍光性を示すダイヤモンドとストロング以上の青色蛍光性を示すダイヤモンド以外のダイヤモンドとが混在する前記物理的配置のダイヤモンド群を備えた他の宝飾体から識別されることを特徴とする宝飾体。
【発明の詳細な説明】
【技術分野】
【０００１】
本発明はダイヤモンドをあしらった宝飾体に関する。
【背景技術】
【０００２】
ダイヤモンドをあしらった指輪やネックレスといった宝飾品は一般に知られる。ダイヤモンドは自然光といった可視光の下で光輝や分散、閃光に基づき透明な輝きを放つ。こうした輝きが好まれることから、一般に、ダイヤモンドは４Ｃといってカラット（大きさ）、カット（研磨）、クラリティ（透明度）およびカラー（色）で評価される。研磨が秀逸で、無色であって欠陥がないほど、高い価格で取り引きされる。
【先行技術文献】
【特許文献】
【０００３】
【特許文献１】特許第３２８０５９４号公報
【発明の概要】
【発明が解決しようとする課題】
【０００４】
その一方で、自然石のダイヤモンドの中には紫外線の下で蛍光性を示すものがある（人工石は蛍光性を有しない）。４Ｃで評価される限り、蛍光性を有する自然石には低い評価しか与えられない。ストロング以上の蛍光性を示す石はそれほど多くないことから、たとえ自然石が集まったとしても、蛍光性を有する自然石と蛍光性を有しない自然石とが混在する。いずれのダイヤモンドの集合体でも、規則性なく、蛍光性を有する自然石と蛍光性を有しない自然石との混在は確立されてしまう。
【０００５】
本発明は、一般に出回るダイヤモンドの集合体から確実に区別されることができる宝飾体を提供することを目的とする。
【課題を解決するための手段】
【０００６】
本発明によれば、単一の支持体上に支持される複数のダイヤモンドを有し、前記支持体上の全てのダイヤモンドは特定の物理的配置にあしらわれストロング以上の青色蛍光性を有し、可視光の下では透明な輝きを放ち、ブラックライトに照らされて前記物理的配置と一致する配置で青色蛍光を示すことで、ストロング以上の青色蛍光性を示すダイヤモンドとストロング以上の青色蛍光性を示すダイヤモンド以外のダイヤモンドとが混在する前記物理的配置のダイヤモンド群を備えた他の宝飾体から識別される宝飾体は提供される。
【発明の効果】
【０００８】
本発明によれば、自然光といった可視光の下では光輝や分散、閃光に基づきダイヤモンドは透明な輝きを放つ。ブラックライトその他の紫外線光の下ではダイヤモンドは青色蛍光性を示し青色に輝く。全てのダイヤモンドはストロング以上の青色蛍光性を有することから、紫外線光の下では青色蛍光の配置は物理的なダイヤモンドの配置と一致する。一般に、自然石のダイヤモンドの中でもストロング以上の蛍光性を示すものは少ないことから、たとえ自然石が集まっても、ストロング以上の蛍光性を有する自然石とそうでない自然石とが混在する。その結果、紫外線光の下では青色蛍光は部分的にダイヤモンドの配置に欠けを形成する。青色蛍光の配置とダイヤモンドの配置とは一致しない。こうして本発明に係る宝飾体は一般に出回るダイヤモンドの集合体から区別されることができる。こうした判別は特定の物体の識別や特定の人物の識別に役立てられることができる。宝飾体は例えば会員証その他と同様に機能することができる。物体や人物の識別にあたって例えばブラックライトが準備されれば済む。
【０００９】
ここでは、支持体ごとに青色蛍光の配置はダイヤモンドの配置に一致する。自然光下で観察者は支持体ごとにダイヤモンドの配置を認識することができる。支持体ごとに全てのダイヤモンドがストロング以上の青色蛍光性を有すれば、ブラックライトが照らされることで観察者は確実に他のダイヤモンドの集合体から本発明に係る宝飾体を選別することができる。
【図面の簡単な説明】
【００１０】
【図１】本発明の第１実施形態に係る宝飾品としてのネックレスを概略的に示す斜視図である。
【図２】第１実施形態の変形例に係るネックレスを概略的に示す斜視図である。
【図３】本発明の第２実施形態に係る宝飾品としての指輪を概略的に示す斜視図である。
【図４】第２実施形態の変形例に係る指輪を概略的に示す斜視図である。
【図５】第２実施形態の他の変形例に係る指輪を概略的に示す斜視図である。
【図６】本発明の第３実施形態に係る宝飾体を概略的に示す斜視図である。
【図７】本発明の第４実施形態に係る宝飾品としてのカフスボタンを概略的に示す斜視図である。
【発明を実施するための形態】
【００１１】
以下、添付図面を参照しつつ本発明の一実施形態を説明する。
【００１２】
図１は第１実施形態に係る宝飾品すなわちネックレス１１を概略的に示す。ネックレス１１は例えばプラチナや金といった金属製のチェーン１２を備える。チェーン１２には複数の台座１３が組み込まれる。台座１３は例えばプラチナや金といった金属材から成形される。台座１３はチェーン１２に一体化されればよい。個々の台座１３には１個のダイヤモンド１４が固定される。こうして宝飾体としてのネックレス１１に複数個のダイヤモンド１４はあしらわれる。あしらわれた全てのダイヤモンド１４はストロング以上の青色蛍光性（すなわちストロングブルーまたはベリーストロングブルー）を有する。こうしてチェーン１２全体に複数のダイヤモンド１４が散りばめられてもよく、図２に示されるように、１つの支持体としてのペンダント１５上に複数のダイヤモンド１６があしらわれてもよい。ダイヤモンド１６は均一な大きさでもよく大小混ぜ込まれてもよい。ペンダント１５はチェーン１２に分離可能に連結されてもよい。ネックレス１１と同様に、宝飾体はブレスレットやアンクレットとして構成されてもよい。
【００１３】
自然光といった可視光の下では光輝や分散、閃光に基づきダイヤモンド１４、１６は透明な輝きを放つ。ブラックライトその他の紫外線光の下ではダイヤモンド１４、１６は青色蛍光性を示し青色に輝く。全てのダイヤモンド１４、１６はストロング以上の青色蛍光性を有することから、紫外線光の下では青色蛍光の配置はダイヤモンド１４、１６の物理的配置と一致する。一般に、自然石のダイヤモンドの中でもストロング以上の蛍光性を示すものは少ないことから、たとえ自然石が集まっても、ストロング以上の蛍光性を有する自然石とそうでない自然石とが混在する。その結果、紫外線光の下では青色蛍光は部分的にダイヤモンドの配置に欠けを形成する。青色蛍光の配置とダイヤモンドの配置とは一致しない。こうして本実施形態に係るネックレス１１は一般に出回るダイヤモンドの集合体から区別されることができる。こうした判別は特定の物体の識別や特定の人物の識別に役立てられることができる。ネックレス１１は例えば会員証その他と同様に機能することができる。物体や人物の識別にあたって例えばブラックライトが準備されれば済む。例えば、全体の中で選択的に蛍光性のダイヤモンドが文字列や模様として配置されることも考えられる。しかしながら、その場合には、可視光の下では観察者は文字列や模様を確認することができず、文字列や模様の成立の判断が観察者の個人差で齟齬することが考えられ、確実な物体や人物の識別は実現されることができない。
【００１４】
ダイヤモンド１６は単一の支持体（ペンダント１５）に固定される。こうして支持体ごとに青色蛍光の配置はダイヤモンド１６の配置に一致する。自然光下で観察者は支持体ごとにダイヤモンド１６の配置を認識することができる。支持体ごとに全てのダイヤモンド１６がストロング以上の青色蛍光性を有すれば、観察者は確実に他のダイヤモンドの集合体から本発明に係る宝飾体を選別することができる。
【００１５】
図３は第２実施形態に係る宝飾品すなわち指輪２１を概略的に示す。指輪２１は例えばプラチナや金といった金属製の環状体２２を備える。環状体２２に台座２３は固定される。台座２３は単純な図形形状に象られてもよくハートや蛇、星などといったデザイン形状に象られてもよい。台座２３上には複数のダイヤモンド２４があしらわれる。ダイヤモンド２４は台座２３に固着されればよい。あしらわれた全てのダイヤモンド２４はストロング以上の青色蛍光性（すなわちストロングブルーまたはベリーストロングブルー）を有する。こうした台座２３はブローチやティアラ、ピアス、イヤリングといった宝飾体に組み込まれて利用されてもよい。その他、図４および図５に示されるように、指輪２１ではダイヤモンド２４はルビー２５やその他の宝石の脇石として利用されてもよい。
【００１６】
図６は第３実施形態に係る宝飾体３１を概略的に示す。宝飾体３１は台座３２を備える。台座３２はバッグ３３やブラジャー、パンツなどに縫い込まれればよい（あるいは貼り付けられてもよい）。台座３２には複数のダイヤモンド３４があしらわれる。ダイヤモンド３４は台座３２に固着されればよい。あしらわれた全てのダイヤモンド３４はストロング以上の青色蛍光性（すなわちストロングブルーまたはベリーストロングブルー）を有する。
【００１７】
図７は第４実施形態に係る宝飾品すなわちカフスボタン４１を概略的に示す。カフスボタン４１はプラチナや金といった金属製の本体４２を備える。本体４２には複数のダイヤモンド４３が埋め込まれる。こうして宝飾体としてのカフスボタン４１に複数個のダイヤモンド４３はあしらわれる。あしらわれた全てのダイヤモンド４３はストロング以上の青色蛍光性（すなわちストロングブルーまたはベリーストロングブルー）を有する。ダイヤモンド４３は均一な大きさでもよく大小混ぜ込まれてもよい。こうしたカフスボタン４１に代えて、タイピンやベルト、ライター、時計、ピンバッジ、めがね、たばこ入れ、ボールペン、万年筆、スマートフォンカバー、電卓、マウス、鏡の枠などの本体にダイヤモンドは埋め込まれてもよい。
【００１８】
いずれの実施形態でも、全てのダイヤモンド１４、１６、２４、３４、４３はベリーストロングブルーの蛍光性を有することが望まれる。こうしたダイヤモンド１４、１６、２４、３４、４３の集合体は配置全体で満遍なく強く青色に輝く。配置全体で青色の濃淡が回避されて均一に輝く。その結果、宝飾体の宝飾的効果は高められる。
【００１９】
本発明者は、世界で初めて、ストロングブルーやベリーストロングブルーだけの宝飾品を手がける。いまのところ、ストロングブルーやベリーストロングブルーといった蛍光性を有するダイヤモンドだけ集めて作成された宝飾品は世界中どこを探しても見当たらない。世界で名だたるデビアス社やカルティエ社、ブルガリ社、ティファニー社もストロングブルーやベリーストロングブルーだけの宝飾品を手がけていない。４Ｃという評価基準で高く評価されなければ売れないからである。したがって、ストロングブルーやベリーストロングブルーといった蛍光性を有するダイヤモンドには低い評価しか与えられず、蛍光性を有するダイヤモンドは、蛍光性を有しないダイヤモンドに比べて安値で取り引きされる。ということは、複数社が本発明製品を販売し始め、蛍光性を有しないダイヤモンドの需要が高まると、必然的に蛍光性を有するダイヤモンドの需給逼迫が引き起こされ、蛍光性を有するダイヤモンドの価格が上昇することが予想される。
【符号の説明】
【００２０】
１１…宝飾体（ネックレス）、１３…支持体（台座）、１４…ダイヤモンド、１５…支持体（ペンダント）、１６…ダイヤモンド、２１…宝飾体（指輪）、２３…支持体（台座）、２４…ダイヤモンド、３１…宝飾体、３２…支持体（台座）、３４…ダイヤモンド、４１…宝飾体（カフスボタン）、４２…支持体（本体）、４３…ダイヤモンド。
【図１】
0006279625.tif 000002
【図２】
0006279625.tif 000003
【図３】
0006279625.tif 000004
【図４】
0006279625.tif 000005
【図５】
0006279625.tif 000006
【図６】
0006279625.tif 000007
【図７】
0006279625.tif 000008